(57)【要約】
【課題】キャスタ回転時のノイズを防止すると同時に回転をスムーズにするべく、事務用椅子のキャスタを提供する。
【解決手段】キャスタホルダ２と二つのキャスタ３、及び二つのローリングボールホルダ４及び二つのローリングボール部５とより構成し、該ローリングボール部５のそれぞれのローリングボール５０を該キャスタホルダ２の凸部２１上の溝２２及び該キャスタ３の穿孔３０内の溝３１との間にて転がすことにより、該キャスタ３が該キャスタホルダ２に対して回転する際の接触面積を最小限に抑える。
【選択図】        図２
0003101121.tif 000002
【実用新案登録請求の範囲】
【請求項１】
キャスタホルダと、二つのキャスタと、二つのローリングボールホルダと、二つのローリングボール部と、より構成される事務用椅子のキャスタにおいて、
枢着ホルダが設けられており、両側にはそれぞれ溝を具有する凸部が設けられており、内部には穿孔が設けられている該キャスタホルダと、
それぞれ該キャスタホルダの両側に設けられており、穿孔を具有し、且つ該穿孔の内壁面には溝及び嵌合溝が設けられている該二つのキャスタと、
該二つのキャスタの穿孔内に設置され、壁面上には更にリングが設けられており、且つ両者の相対する内側には定位溝が設けられている該二つのローリングボールホルダと、
該ローリングボールホルダの定位溝内に設置されており、数個のローリングボールより構成される該二つのローリングボール部と、
を具有し、該ローリングボール部の数個のローリングボールが該キャスタホルダの凸部上の溝及び該キャスタの穿孔内の溝との間にて転がることを利用し、該キャスタが該キャスタホルダに対して回転する際の接触面積、即ち摩擦面積を最低限に抑えることにより、生ずる雑音を減少させると同時に該キャスタの回転をスムーズにしたことを特徴とする事務用椅子のキャスタ。
【考案の詳細な説明】
【技術分野】
【０００１】
本考案は事務用椅子のキャスタに係り、特にローリングボールをキャスタホルダの凸部上の溝及びキャスタの穿孔内の溝間に設けてその転がりを利用することにより、キャスタをキャスタホルダに対して回転させ、キャスタが回転する際の接触面積を減少させ、摩擦力を最小限に抑えてノイズの発生を防止すると同時に回転をスムーズにした事務用椅子のキャスタに関わる。
【背景技術】
【０００２】
図１に示すように、公知における事務用椅子のキャスタにおいては、主にキャスタホルダ１０が設けられており、該キャスタホルダ１０上には枢接ホルダ１１が設けられており、輪軸１４が軸座１２の軸孔１３に挿通されており、該輪軸１４の両端は該軸座１２の両側より突出しており、該輪軸１４の両端付近には凹型溝１５が設けられており、二つのキャスタ１６が該軸座１２の両側に組付けられ、該キャスタ１６の内部には凸柱１７が設けられており、該凸柱１７内には軸孔１８が設けられて、該軸孔１８内には凸縁１９が設けられており、該輪軸１４の両端が該キャスタ１６の軸孔１８内に嵌設されることにより該凸縁１９は該輪軸１４の凹型溝１５内に嵌設され、該二つのキャスタ１６が該キャスタホルダ１０内に固定されているものがある。
【考案の開示】
【考案が解決しようとする課題】
【０００３】
しかし上述のような公知の事務用椅子のキャスタにおいては以下のような欠点がある。それはキャスタの輪軸がキャスタホルダの軸孔内に挿通されることによって支え軸となって二つのキャスタを連結させており、輪軸と軸孔の接触面積が大きくなっているため、キャスタが回転するときに、輪軸は軸孔の回転に伴ってキャスタホルダの軸孔内壁と摩擦が生じ、キャスタが回転すると同時に雑音が生ずることである。また上述のごとく、接触する面積が大きいことから必然的に摩擦力が大きいため、キャスタがスムーズに回転できないことも挙げられる。
そこで上述の欠点に鑑み、キャスタ回転時のノイズを防止すると同時に回転をスムーズにするべく、本考案の事務用椅子のキャスタを提供する。
【課題を解決するための手段】
【０００４】
キャスタホルダと二つのキャスタ、及び二つのローリングボールホルダ及び二つのローリングボール部とより構成し、該ローリングボール部のそれぞれのローリングボールを該キャスタホルダの凸部上の溝及び該キャスタの穿孔内の溝との間にて転がすことにより、該キャスタが該キャスタホルダに対して回転する際の接触面積を最小限に抑える。
【考案の効果】
【０００５】
本考案によると、ローリングボール等の設置により、キャスタがキャスタホルダ内にて回転する際の摩擦力が最低限に抑えら、これにより生ずる雑音が抑えられたと同時にキャスタの回転をスムーズにすることに成功した。
【考案を実施するための最良の形態】
【０００６】
図２，３，４に示すように、本考案にはキャスタホルダ２が設けられており、該キャスタホルダ２上には枢着座２０が設けられており、該キャスタホルダ２の両側には凸部２１が設けられている。更に該凸部２１上には円弧形を呈した溝２２が設けられており、該キャスタホルダ２内には穿孔２３が設けられている。二つのキャスタ３はそれぞれ該キャスタホルダ２の両側に設けられており、該キャスタ３には穿孔３０が設けられており、該穿孔３０の内壁面には円弧形を呈した溝３１及び嵌合溝３２が設けられている。
二つのローリングボールホルダ４においては、それぞれ該二つのキャスタ３の穿孔３０内に設置されており、該ローリングボールホルダ４の周壁面上にはリング４０が設けられており、両該ローリングボールホルダ４の相対する内側個所にはローリングボールの定位溝４１が設けられている。
二つのローリングボール部５においては、該ローリングボールホルダ４の定位溝４１内に設置され、該ローリングボール部５は数個のローリングボール５０によって構成されている。
【０００７】
組立て時は、図２，３，４に示すように、先ず該二つのローリングボールホルダ４を二つの該キャスタ３の穿孔３０内に組み入れ、該ローリングボールホルダ４のリング４０を該キャスタ３の穿孔３０内の嵌合溝３２内に嵌合設置して該ローリングボールホルダ４を該キャスタ３内に固定し、更に該ローリングボール部５のそれぞれのローリングボール５０をそれぞれ該ローリングボールホルダ４の定位溝４１内に設置し、該ローリングボール５０を該ローリングボールホルダ４の定位溝４１内に組入れて該ローリングボール５０は該キャスタ３の溝３１内に位置する。最後に該二つのキャスタ３を相対向させて該キャスタホルダ２の両側に設置し、該ローリングボール５０を該キャスタホルダ２の凸部２１の溝２２内に配置し、該ローリングボール５０を該キャスタホルダ２の溝２２と該キャスタ３の溝３１内にて収納することにより、該キャスタ３は該キャスタホルダ２の両側に設置され、組み立てが完成する。
【０００８】
使用時においては、該ローリングボール部５のローリングボール５０が該キャスタホルダ２の凸部２１上の溝２２及び該キャスタ３の穿孔３０内の溝３１間で転がることより、該キャスタ３が該キャスタホルダ２に対して回転し、且つ該キャスタ３が回転するときは、該キャスタホルダ２との接触面積が少ない、即ち摩擦面積が少なくなっていることにより、雑音が発生するのが抑えられ、且つ該ローリングボール５０の転がりによって、該キャスタ３の回転がスムーズになっている。
【図面の簡単な説明】
【０００９】
【図１】公知の事務用椅子におけるキャスタの立体分解図である。
【図２】本考案における立体分解図である。
【図３】本考案における組み立て後の立体図である。
【図４】本考案における組み立て後の断面図である。
【符号の説明】
【００１０】
１０  キャスタホルダ
１１  枢接ホルダ
１２  軸座
１３  軸孔
１４  輪軸
１５  凹型溝
１６  キャスタ
１７  凸柱
１８  軸孔
１９  凸縁
２  キャスタホルダ
２０  枢接ホルダ
２１  凸部
２２  溝
２３  穿孔
３  キャスタ
３０  穿孔
３１  溝
３２  嵌合溝
４  ローリングボールホルダ
４０  リング
４１  定位溝
５  ローリングボール部
５０  ローリングボール
【図１】
0003101121.tif 000003
【図２】
0003101121.tif 000004
【図３】
0003101121.tif 000005
【図４】
0003101121.tif 000006